(57)【要約】【課題】  音声入出力機能を有する通信機器の音声入出力機能に関わる回路を検査するための期間を短縮する。【解決手段】  ＣＰＵ８０を含む制御部が有するデータにもとづいて音声信号を発生する音響発生回路（ＦＭ音源ＬＳＩ１００およびオーディオ回路ゲイン設定部７３等）が発生した音声信号を、上り音声通信機能回路（上りパスゲイン設定部７１等）に入力し、上り音声通信機能回路を通った信号をＣＰＵ８０内で折り返し、折り返された信号を下り音声通信機能回路（下りパスゲイン設定部７２等）に通し、下り音声通信機能回路が出力する音声信号の周波数およびレベルを、検査治具４００におけるオーディオアナライザ４１０で測定する。【選択図】  図１
2005191782.tif 000002
【特許請求の範囲】
【請求項１】
無線信号の送受信を行う無線部を制御する制御部と、
前記制御部が有するデータにもとづいて音声信号を発生する音響発生回路と、
音声入力部から音声信号を入力して通信相手に送信するために前記制御部に出力する上り音声通信機能回路、および通信相手から受信した信号を前記制御部を介して入力し、その信号を音声信号として音声出力部に出力する下り音声通信機能回路を含む音声通信機能回路とを備えた通信機器を検査するための検査方法であって、
前記音響発生回路が発生した音声信号を、前記上り音声通信機能回路に入力し、
前記上り音声通信機能回路を通った信号を前記制御部で折り返し、
前記制御部で折り返された信号を前記下り音声通信機能回路に通し、
前記下り音声通信機能回路が出力する音声信号の周波数およびレベルを測定する
ことを特徴とする音声出力機能を有する通信機器の検査方法。
【請求項２】
下り音声通信機能回路が出力する音声信号の周波数およびレベルが、所望の周波数および期待されるレベルになっているか否か確認することによって、音響発生回路または音声通信機能回路に不具合が生じているか否か確認する
請求項１記載の音声出力機能を有する通信機器の検査方法。
【請求項３】
音響発生回路が発生した音声信号および下り音声通信機能回路が出力する音声信号を、接地レベルに対する信号として扱う
請求項１または請求項２記載の音声出力機能を有する通信機器の検査方法。
【請求項４】
音響発生回路が発生した音声信号および下り音声通信機能回路が出力する音声信号を差動信号として扱う
請求項１または請求項２記載の音声出力機能を有する通信機器の検査方法。
【請求項５】
音響発生回路が発生した差動出力の一方を位相反転して上り音声通信機能回路に入力し、下り音声通信機能回路が出力する差動出力の一方を位相反転してから、下り音声通信機能回路が出力する音声信号の周波数およびレベルを測定する
請求項４記載の音声出力機能を有する通信機器の検査方法。
【請求項６】
制御部に制御コマンドを与えて、音響発生回路に含まれるＦＭ音源ＬＳＩから音響ディジタル出力データを出力させ、その音響ディジタル出力データにもとづいて前記音響発生回路に音声信号を発生させる
請求項１から請求項５のうちのいずれか１項に記載の音声出力機能を有する通信機器の検査方法。
【請求項７】
上り音声通信機能回路に入力される信号のレベル調整を音響発生回路に行わせる
請求項１から請求項６のうちのいずれか１項に記載の音声出力機能を有する通信機器の検査方法。
【請求項８】
制御部に含まれるディジタル信号処理部の前で信号を折り返す
請求項１から請求項７のうちのいずれか１項に記載の音声出力機能を有する通信機器の検査方法。
【発明の詳細な説明】
【技術分野】
【０００１】
本発明は、音声入出力機能を有する携帯電話機等の通信機器の音声入出力機能に関わる回路を検査するための検査方法に関する。
【背景技術】
【０００２】
携帯電話機は、マイクロフォンなどの音声入力部、スピーカやヘッドフォン端子などの音声出力部を有している。従って、携帯電話機の製造における検査工程において、音声入力部から制御部に至るパスおよび制御部から音声出力部に至るパスを含む音声パスの検査も行われる。音声パスの検査とは、例えば、音声入力部および音声出力部と制御部との間で、断線、はんだ付け不良または端子間ブリッジが発生していること等に起因して音声出力が行われなかったり、音声入力が行われなかったりする不具合を検出する検査である。検査工程に要する時間を短縮すると製造時間が短縮される。従って、携帯電話機の生産性を向上させるために、音声パスの検査時間を短縮することが望まれている。
【０００３】
携帯電話機には、音声パスとして、音声入力部から制御部を介して無線部に至るパス（上りパスとする。）と無線部から制御部を介して音声出力部に至るパス（下りパスとする。）とを含む音声通信パスがある。また、音声通信パスの他に、制御部が有しているデータにもとづいて着信メロディ等を音声出力部に出力する音響再生パスを有する携帯電話機もある。以下、音声通信パスにおいて、制御部と音声入力部および音声出力部との間に存在する回路を音声通信機能回路という。また、音響再生パスにおいて、制御部と音声出力部との間に存在する回路を音響再生回路という。
【０００４】
音声通信パスの検査において、音声入力部に入力され上りパスを通った検査信号を制御部で折り返し、折り返された信号を下りパスに通し、音声出力部に出力される信号を、音声入力部に入力された信号と比較する折り返し検査が行われる。例えば、特許文献１には、折り返し検査が実行される例が示されている。
【０００５】
【特許文献１】特開平４−２９６９５６号公報（段落０００６、図１）
【発明の開示】
【発明が解決しようとする課題】
【０００６】
図６および図７は、携帯電話機における音声通信機能回路および音響再生回路を検査するための検査方法の一例を示すブロック図である。図６および図７において、携帯電話機２００は、通信相手への音声を入力するマイクロフォン等の音声入力部４０、通信相手からの音声を出力するスピーカ等の音声出力部５０、音声信号を入出力可能なイヤフォンマイクロフォン一体機器を接続するためのインタフェースを有するヘッドフォンジャック６０、音声を送受信できるようにＬＳＩを制御する等の制御全般を司るＣＰＵ８０、アナログ信号の音声信号をディジタル信号に変換するＡ−Ｄ変換部およびディジタル信号をアナログ信号の音声信号に変更するＤ−Ａ変換部を有するオーディオＩＣ７０、音声信号を無線信号に変換する機能を有する無線部９０、および着信音等の音データを出力するＦＭ音源ＬＳＩ１００を含む。なお、ＣＰＵ８０は、プログラムやデータ（ＦＭ音源ＬＳＩ１００が発生する音響ディジタル出力データに対応したデータを含む）を格納するメモリ等とともに制御部を構成する。
【０００７】
オーディオＩＣ７０は、通信相手への音声信号（上り音声信号）の振幅（レベル）を所定値に設定する上りパスゲイン設定部７１、通信相手からの音声信号（下り音声信号）の振幅を所定値に設定する下りパスゲイン設定部７２、ＦＭ音源ＬＳＩ１００の出力データの振幅を所定値に設定するオーディオ回路ゲイン設定部７３、ヘッドフォンジャック６０に出力される信号のＬ（左）チャネルおよびＲ（右）チャネルの増幅部であるＨＰ（Head Phone）増幅部（ヘッドフォン増幅部）７４、ならびにＨＰ増幅部をオンさせるためのスイッチ部７５を有する。また、ＣＰＵ８０は、上り音声信号を下り音声信号として折り返すためのスイッチ８１およびディジタル音声信号を符号化したり符号化されているデータをディジタル音声信号に復号するＤＳＰ（ディジタル信号処理プロセッサ）８２を内蔵している。ＣＰＵ８０の内部において、スイッチ８１は、ＤＳＰ８２の手前（音声通信機能回路の側）に設けられている。なお、スイッチ８１は、ＣＰＵ８０の内部において信号経路を接続したり遮断する機能により実現される。
【０００８】
以下、オーディオＩＣ７０において音声入力部４０からの音声信号が入力されるＭＩＣＰ（Microphone Positive ）端子（正側マイクロフォン入力端子）からＣＰＵ８０のスイッチ８１までの経路を上り音声パス７８といい、ＣＰＵ８０のスイッチ８１から、音声出力部５０に音声信号を出力するＲＥＣＯＰ（Receiver Output Positive）端子（正側受話出力端子）までの経路を下り音声パス７９という。また、上り音声パス７８に存在する回路を上り音声通信機能回路といい、また、下り音声パス７９に存在する回路を下り音声通信機能回路という。音声通信機能回路は、上り音声通信機能回路と下り音声通信機能回路とで構成されている。
【０００９】
ＣＰＵ８０は、シリアルインタフェース（シリアルＩＦ）８２でオーディオＩＣ７０に制御信号を与える。また、ＣＰＵ８０は、制御信号線８３でＦＭ音源ＬＳＩ１００に制御信号を与える。ＦＭ音源ＬＳＩ１００からの着信メロディ等のデータである音響ディジタル出力データは、オーディオＩＦ１０１で、オーディオＩＣ７０に供給される。
【００１０】
ＴＰ１０，ＴＰ２０，ＴＰ３０は、音声通信機能回路および音響再生回路を検査するためのテストポイントを示す。ＴＰ１０は、オーディオＩＣ７０におけるＨＰ増幅部７４の出力端子であるＨＰＯＬ（Head Phone Output Left Channel）端子（左ヘッドフォン出力端子）とヘッドフォンジャック６０との間のライン（ＨＰＯＬ端子ライン）上に設定される。ＴＰ２０は、オーディオＩＣ７０におけるＭＩＣＰ端子と音声入力部４０との間のライン（ＭＩＣＰ端子ライン）上に設定される。ＴＰ３０は、オーディオＩＣ７０におけるＲＥＣＯＰ端子と音声出力部５０との間のライン（ＲＥＣＯＰ端子ライン）上に設定される。
【００１１】
制御用パーソナルコンピュータ（制御ＰＣ）３００には検査用プログラムがインストールされている。制御ＰＣ３００は、検査用プログラムに従って、携帯電話機２００に、制御線３０１を介して検査用の制御コマンドを出力する。また、検査治具４００に、制御線３０２を介して検査用の制御信号を出力する。制御線３０１，３０２は、検査時に、制御ＰＣ３００と携帯電話機２００および検査治具４００との間に設置されるケーブルである。
【００１２】
検査治具４００は、レベル測定器としてのオーディオアナライザ４１０を含み、携帯電話機２００から出力される検査信号の周波数およびレベルを測定する。検査治具４００は、ＴＰ１０からの信号とＴＰ３０からの信号とのうちのいずれかをオーディオアナライザ４１０に入力させるためのスイッチ部４５１と、ＴＰ２０に信号を与えるためのスイッチ部４５２とを含む。
【００１３】
図６には、音声通信機能回路を検査するときの接続状態が示されている。音声通信機能回路を検査するときには、制御ＰＣ３００は、検査員の指令操作に応じて、第１の制御信号を出力する。検査治具４５０は、第１の制御信号に応じて、検査信号としての低周波アナログ信号を出力するとともに、スイッチ部４５２を、低周波アナログ信号がＴＰ２０に入力される状態に設定する。検査信号は、例えば１ｋＨｚでレベルが−４０ｄＢｍの正弦波信号である。また、制御ＰＣ３００は、第２の制御信号を出力する。検査治具４５０は、第２の制御信号に応じて、スイッチ部４５１を、ＴＰ１０からの信号がオーディオアナライザ４１０に入力される状態に設定する。
【００１４】
また、制御ＰＣ３００は、スイッチ８１をオン状態にさせるとともに、上りパスゲイン設定部７１および下りパスゲイン設定部７２に所定のゲインを設定させる制御を実行するようにＣＰＵ８０に指示する制御信号を、ＣＰＵ８０に出力する。
【００１５】
すると、図６に示すように、オーディオアナライザ４１０からＴＰ２０に入力された信号が、上り音声通信機能回路を通った後ＣＰＵ８０で折り返され、下り音声通信機能回路を通った後にオーディオアナライザ４１０に入力されるルートが形成される。
【００１６】
検査員は、オーディオアナライザ４１０で測定される信号の周波数およびレベルが、所望の周波数および期待されるレベルになっているか否か確認する。所望の周波数は、オーディオアナライザ４１０に発生させた信号の周波数と同じ周波数であり、期待されるレベルは、上りパスゲイン設定部７１および下りパスゲイン設定部７２に設定したゲインに応じたレベルである。検査員は、オーディオアナライザ４１０で測定された信号の周波数およびレベルによって、携帯電話機２００の音声通信機能回路に問題がないか否か検査することができる。
【００１７】
図７には、音響再生回路を検査するときの接続状態が示されている。音響再生回路を検査するときには、制御ＰＣ３００は、検査員の指令操作に応じて、スイッチ部４５１をＴＰ１０からの信号がオーディオアナライザ４１０に入力される状態にさせることを指示する制御信号を、検査治具４５０に出力する。また、制御ＰＣ３００は、ＦＭ音源ＬＳＩ１００に所定の音響ディジタル出力データを出力させ、オーディオ回路ゲイン設定部７３に所定のゲインを設定させ、かつ、ＨＰ増幅部７４をオンさせる制御を実行するようにＣＰＵ８０に指示する制御コマンドを、ＣＰＵ８０に出力する。
【００１８】
検査員は、オーディオアナライザ４１０で測定される信号の周波数およびレベルが、所望の周波数および期待されるレベルになっているか否か確認する。所望の周波数は、音響再生回路に発生させた信号の周波数と同じ周波数であり、期待されるレベルは、オーディオ回路ゲイン設定部７３に設定したゲインに応じたレベルである。検査員は、オーディオアナライザ４１０で測定された信号の周波数およびレベルによって、携帯電話機２００の音響再生回路に問題がないか否か検査することができる
【００１９】
以上に説明したような検査方法では、音声通信機能回路の検査時にオーディオアナライザ４１０での測定を１回実行し、また、音響再生回路の検査時にオーディオアナライザ４１０での測定を１回実行する。すなわち、１台の携帯電話機２００の音声通信機能回路と音響再生回路とを検査するために、オーディオアナライザ４１０での測定を２回実行しなければならない。検査工程に要する検査時間は、オーディオアナライザ４１０の計測までの安定待ち時間に、オーディオアナライザ４１０での測定に要する時間が加わった時間であるが、測定を２回実行しなければならないので、検査時間が長くなってしまう。
【００２０】
そこで、本発明は、音声入出力機能を有する通信機器の音声入出力機能に関わる回路を検査するための期間を短縮することができる検査方法を提供することを目的とする。
【課題を解決するための手段】
【００２１】
本発明による音声出力機能を有する通信機器の検査方法は、無線信号の送受信を行う無線部を制御する制御部と、制御部が有するデータにもとづいて音声信号を発生する音響発生回路と、音声入力部から音声信号を入力して通信相手に送信するために制御部に出力する上り音声通信機能回路、および通信相手から受信した信号を制御部を介して入力しその信号を音声信号として音声出力部に出力する下り音声通信機能回路を含む音声通信機能回路とを備えた通信機器を対象とする検査方法であって、音響発生回路が発生した音声信号を上り音声通信機能回路に入力し、上り音声通信機能回路を通った信号を制御部で折り返し、制御部で折り返された信号を下り音声通信機能回路に通し、下り音声通信機能回路が出力する音声信号の周波数およびレベルを測定することを特徴とする。
【００２２】
下り音声通信機能回路が出力する音声信号の周波数およびレベルが、所望の周波数および期待されるレベルになっているか否か確認することによって、音響発生回路または音声通信機能回路に不具合が生じているか否か確認するようにしてもよい。
【００２３】
音響発生回路が発生した音声信号および下り音声通信機能回路が出力する音声信号が、接地レベルに対する信号として扱われてもよい。
【００２４】
音響発生回路が発生した音声信号および下り音声通信機能回路が出力する音声信号が、差動信号として扱われてもよい。
【００２５】
音声信号が差動信号として扱われる場合には、音響発生回路が発生した差動出力の一方を位相反転して上り音声通信機能回路に入力し、下り音声通信機能回路が出力する差動出力の一方を位相反転してから、下り音声通信機能回路が出力する音声信号の周波数およびレベルを測定する。
【００２６】
制御部に制御コマンドを与えて、音響発生回路に含まれるＦＭ音源ＬＳＩから音響ディジタル出力データを出力させ、その音響ディジタル出力データにもとづいて音響発生回路に音声信号を発生させるようにしてもよい。
【００２７】
上り音声通信機能回路に入力される信号のレベル調整を音響発生回路に行わせるようにしてもよい。
【００２８】
制御部において、例えば、制御部に含まれるディジタル信号処理部の前で信号を折り返す。
【発明の効果】
【００２９】
本発明によれば、１回の測定で音声通信機能回路と音響再生回路との検査を完了できるので、音声入出力機能を有する通信機器の音声入出力機能に関わる回路を検査するための期間を短縮することができる。
【発明を実施するための最良の形態】
【００３０】
実施の形態１．
以下、本発明の実施の形態を説明する。図１は、本発明による通信機器の検査方法の第１の実施の形態を説明するためのブロック図である。この実施の形態では、携帯電話機を通信機器の例にする。携帯電話機は音声信号を送受信する機能および着信メロディ等の着信音を出力する機能を備えている。
【００３１】
図１に示す携帯電話機２００の構成は、図６および図７に示された構成と同じである。検査治具４００は、レベル測定器としてのオーディオアナライザ４１０を含み、携帯電話機２００から出力される検査信号の周波数およびレベルを測定する。また、検査治具４００は、ＴＰ１０から入力した信号をＴＰ２０に出力するための経路も含む。
【００３２】
なお、図１に示す携帯電話機２００において、音声入力部４０の２つの出力端子のうちの一方は接地されている。また、音声出力部５０の２つの入力端子のうちの一方は接地され、ヘッドフォンジャック６０の２つの入力端子のうちの一方は接地されている。従って、この実施の形態では、音響発生回路が発生した音声信号および下り音声通信機能回路が出力する音声信号は、接地レベルに対するレベルを示す信号として扱われる。
【００３３】
次に、図２のフローチャートを参照して、この実施の形態の検査方法について説明する。検査員は、まず、制御ＰＣ３００に接続された検査治具４００を、携帯電話機２００に接続する。具体的には、ＴＰ１０から入力した信号がＴＰ２０に出力されるように接続し、ＴＰ３０からの信号がオーディオアナライザ４１０に入力されるように接続する。
【００３４】
そして、制御ＰＣ３００は、検査員の指令操作に応じて、制御線３０１を介して携帯電話機２００に第１の制御コマンドを出力する（ステップＳ１１）。制御コマンドは、携帯電話機２００の内部においてＣＰＵ８０に伝達される。第１の制御コマンドは、ＦＭ音源ＬＳＩ１００に所定の音響ディジタル出力データを出力させ、オーディオ回路ゲイン設定部７３に所定のゲインを設定させ、かつ、ＨＰ増幅部７４をオンさせる制御を実行するように、ＣＰＵ８０に指示するコマンドである。
【００３５】
ＣＰＵ８０は、第１の制御コマンドに応じて、シリアルＩＦ８２で、オーディオ回路ゲイン設定部７３に所定のゲイン（例えば、出力レベルが−４０ｄＢｍとなるようなゲイン）を設定させ、かつ、ＨＰ増幅部７４をオンさせることを指示する制御信号をオーディオＩＣ７０に出力する。オーディオＩＣ７０は、制御信号に従って、オーディオ回路ゲイン設定部７３に所定のゲインを設定し、ＨＰ増幅部７４をオン状態にする。すなわち、オーディオ回路ゲイン設定部７３およびＨＰ増幅部７４は、上り音声通信機能回路に入力される音声信号のレベル調整を行う。
【００３６】
また、ＣＰＵ８０は、制御コマンドに応じて、制御信号線８３で、低周波アナログ信号（例えば、１ｋＨｚの正弦波信号）に対応する音響ディジタル出力データを出力することを指示する制御信号をＦＭ音源ＬＳＩ１００に出力する。ＦＭ音源ＬＳＩ１００は、制御信号に従って、音響ディジタル出力データのオーディオＩＣ７０への出力を開始する。このような設定によって、ＨＰＯＬ端子ライン（ＴＰ１０）から低周波アナログ信号（例えば１ｋＨｚでレベル−４０ｄＢｍの正弦波信号）が出力される状態になる。
【００３７】
次いで、制御ＰＣ３００は、制御線３０１を介して携帯電話機２００に第２の制御コマンドを出力する（ステップＳ１２）。第２の制御コマンドは、スイッチ８１をオン状態にするとともに、上りパスゲイン設定部７１および下りパスゲイン設定部７２に所定のゲインを設定させる制御を実行するように、ＣＰＵ８０に指示するコマンドである。
【００３８】
ＣＰＵ８０は、制御コマンドに応じて、シリアルＩＦ８２で、上りパスゲイン設定部７１および下りパスゲイン設定部７２に所定のゲインを設定することを指示する制御信号をオーディオＩＣ７０に出力する。オーディオＩＣ７０は、制御信号に従って、上りパスゲイン設定部７１および下りパスゲイン設定部７２に所定のゲインを設定する。このような設定によって、ＭＩＣＰ端子ライン（ＴＰ２０）に入力される信号が、上り音声通信機能回路を通過し、ＣＰＵ８０の内部におけるディジタル信号処理を実行する部分の手前で折り返され、下り音声通信機能回路を通過してＲＥＣＯＰ端子ライン（ＴＰ３０）に至るルートが設定される。
【００３９】
従って、ＣＰＵ８０の指示に応じてＦＭ音源ＬＳＩ１０１が出力する音響ディジタル出力データに応じた低周波アナログ信号がＴＰ１０から出力され、検査治具４００によって、低周波アナログ信号がＴＰ２０に入力される（ステップＳ１３）。すなわち、音響再生回路の出力信号が音声通信機能回路に入力される。また、ＴＰ２０に入力された低周波アナログ信号は、上り音声通信機能回路および下り音声通信機能回路を通って、ＴＰ３０を介してオーディオアナライザ４１０に入力される。
【００４０】
検査員は、オーディオアナライザ４１０で測定される信号の周波数およびレベルが、所望の周波数および期待されるレベルになっているか否か確認する（ステップＳ１４）。なお、人が確認するのではなく、例えば、オーディオアナライザ４１０で測定された信号の周波数およびレベルを検査治具４１０から制御ＰＣ３００に出力し、制御ＰＣ３００が、オーディオアナライザ４１０で測定された信号の周波数およびレベルと、あらかじめ制御ＰＣ３００に設定されている所望の周波数および期待されるレベルとを自動的に比較するようにしてもよい。そして。検査結果を制御ＰＣ３００において表示したり、制御ＰＣ３００から出力させるようにしてもよい。また、検査治具４１０が、オーディオアナライザ４１０で測定された信号の周波数およびレベルと所望の周波数および期待されるレベルとほ比較機能、ならびに検査結果の表示機能を備えていてもよい。
【００４１】
なお、所望の周波数は、音響再生回路に発生させた信号の周波数に対して、±数％の許容をもたせた周波数である。期待されるレベルは、オーディオ回路ゲイン設定部７３、上りパスゲイン設定部７１および下りパスゲイン設定部７２に設定したゲインに応じたレベルである。音響再生回路が発生した信号が上り音声通信機能回路および下り音声通信機能回路を通過してオーディオアナライザ４１０に至るので、検査員は、携帯電話機２００の音声通信機能回路および音響再生回路に問題（例えば、断線、はんだ付け不良または端子間ブリッジ等）がないか否かを一度に検査することができる。
【００４２】
実施の形態２．
図３は、本発明による通信機器の検査方法の第２の実施の形態を説明するためのブロック図である。この実施の形態でも、携帯電話機を通信機器の例にする。
【００４３】
図３に示すように、オーディオＩＣ７０は、オーディオ回路ゲイン設定部７３の差動出力を分岐させるためのスイッチ部７５，７７を有している（図１では図示省略）。スイッチ部７５の出力はＨＰ増幅部７４に入力され、ＨＰ増幅部７４から、出力端子であるＨＰＯＬ端子（左ヘッドフォン出力端子）およびＨＰＯＲ（Head Phone Output Right Channel ）端子（右ヘッドフォン出力端子）に出力される。また、オーディオＩＣ７０は、スピーカ等の音声出力部５１に出力される信号についての増幅部であるＳＰＫ増幅部（スピーカ増幅部）７６と、ＳＰＫ増幅部７６の出力端子であるＳＰＫＯＰ（Speaker Output Positive ）端子（正側スピーカ出力端子）およびＳＰＫＯＮ（Speaker Output Negative ）端子（負側スピーカ出力端子）とを有している（図１では図示省略）。スイッチ部７７の出力は、ＳＰＫ増幅部７６に入力され、ＳＰＫ増幅部７６から、ＳＰＫＯＰ端子およびＳＰＫＯＮ端子に出力される。すなわち、オーディオＩＣ７０は、ＨＰＯＬ端子とＨＰＯＲ端子との間に差動信号を出力可能であり、ＳＰＫＯＰ端子とＳＰＫＯＮ端子との間に差動信号を出力可能である。
【００４４】
また、音声通信機能回路において、音声入力部４０が接続されるＭＩＣＰ端子（正側マイクロフォン入力端子）とＭＩＣＮ（Microphone Negative ）端子（負側マイクロフォン入力端子）との間に差動信号を入力可能であり、音声出力部５０が接続されるＲＥＣＯＰ端子（正側受話出力端子）とＲＥＣＯＮ（Receiver Output Negative）端子（負側受話出力端子）との間に差動信号を出力可能である。すなわち、この実施の形態では、音響発生回路が発生した音声信号および下り音声通信機能回路が出力する音声信号は、差動信号として扱われる。
【００４５】
この実施の形態では、ＴＰ１０は、ＳＰＫＯＰ端子と音声出力部５１との間のライン（ＳＰＫＯＰ端子ライン）上に設定される。また、ＴＰ１１が、ＳＰＫＯＮ端子と音声出力部５１との間のライン（ＳＰＫＯＮ端子ライン）上に設定される。また、ＴＰ２１が、ＭＩＣＮ端子と音声入力部４０との間のライン（ＭＩＣＮ端子ライン）上に設定され、ＴＰ３１が、ＲＥＣＯＮ端子と音声出力部５０との間のライン（ＲＥＣＯＮ端子ライン）上に設定される。
【００４６】
検査治具４２０は、第１の実施の形態の場合と同様に、オーディオアナライザ４１０、ＴＰ１０から入力した信号をＴＰ２０に出力するための経路、およびＴＰ３０からの信号をオーディオアナライザ４１０に入力させる経路を含む。さらに、この実施の形態では、ＴＰ１１から入力した信号を位相反転する位相反転回路４３０、位相反転回路４３０の出力信号をＴＰ２１に出力するための経路、ＴＰ３１から入力した信号を位相反転する位相反転回路４４０、およびＴＰ３１からの信号をオーディオアナライザ４１０に入力させる経路を含む。
【００４７】
つまり、この実施の形態では、音響再生回路から出力される差動信号としての低周波アナログ信号を、上り音声通信機能回路に入力し、差動信号をＣＰＵ８０の内部で折り返し、下り音声通信機能回路から出力される差動信号をオーディオアナライザ４１０で測定する。なお、位相反転回路４３０，４４０は、ＳＰＫＯＰ端子から出力される信号の位相とＳＰＫＯＮ端子から出力される信号の位相とが１８０°ずれ、ＲＥＣＯＰ端子から出力される信号の位相とＲＥＣＯＮ端子から出力される信号の位相とが１８０°ずれていることに起因して設けられている。
【００４８】
位相反転回路４３０，４４０は、例えば図４に示すような演算増幅器４３１を用いた反転回路で実現される。図４に示す回路を位相反転回路４３０として用いる場合には、入力信号はＴＰ１１からの信号であり、出力信号はＴＰ２１に出力される信号である。図４に示す回路を位相反転回路４４０として用いる場合には、入力信号はＴＰ３１からの信号であり、出力信号はオーディオアナライザ４１０に出力される信号である。
【００４９】
次に、図５のフローチャートを参照して、この実施の形態の検査方法について説明する。検査員は、まず、制御ＰＣ３００に接続された検査治具４２０を、携帯電話機２００に接続する。具体的には、ＴＰ１０，ＴＰ１１から入力した信号がＴＰ２０，ＴＰ２１に出力されるように接続し、ＴＰ３０，ＴＰ３１からの信号がオーディオアナライザ４１０に入力されるように接続する。ただし、検査治具４２０において、ＴＰ１０からの信号は、位相反転回路４３０で位相反転された後にＴＰ２１に出力される。また、ＴＰ３１からの信号は、位相反転回路４４０で位相反転された後にオーディオアナライザ４１０に入力される。
【００５０】
そして、制御ＰＣ３００は、検査員の指令操作に応じて、制御線３０１を介して携帯電話機２００に第１の制御コマンドを出力する（ステップＳ２１）。第１の制御コマンドは、ＦＭ音源ＬＳＩ１００に所定の音響ディジタル出力データを出力させ、オーディオ回路ゲイン設定部７３に所定のゲインを設定させ、かつ、スイッチ部７７によってＳＰＫ増幅部７６をオンさせるとともにスイッチ部７５によってＨＰ増幅部７４をオフさせる制御を実行するように、ＣＰＵ８０に指示するコマンドである。
【００５１】
ＣＰＵ８０は、制御コマンドに応じて、シリアルＩＦ８２で、オーディオ回路ゲイン設定部７３に所定のゲイン（例えば、音響発生回路の出力レベルが−４０ｄＢｍとなるようなゲイン）を設定させ、かつ、ＳＰＫ増幅部７６をオンさせるとともにＨＰ増幅部７４をオフさせることを指示する制御信号をオーディオＩＣ７０に出力する。オーディオＩＣ７０は、制御信号に従って、オーディオ回路ゲイン設定部７３に所定のゲインを設定し、ＳＰＫ増幅部７６をオン状態にするとともにＨＰ増幅部７４をオフ状態にする。また、ＣＰＵ８０は、制御コマンドに応じて、制御信号線８３で、低周波アナログ信号（例えば、１ｋＨｚの正弦波信号）に応じた音響ディジタル出力データを出力することを指示する制御信号をＦＭ音源ＬＳＩ１００に指示する。ＦＭ音源ＬＳＩ１００は、制御信号に従って、所定の音響ディジタル出力データのオーディオＩＣ７０への出力を開始する。このような設定によって、ＳＰＫＯＰ端子ライン（ＴＰ１０）およびＳＰＫＯＮ端子ライン（ＴＰ１１）から、差動出力として低周波アナログ信号（例えば１ｋＨｚでレベル−４０ｄＢｍの正弦波信号）が出力される状態になる。
【００５２】
次いで、制御ＰＣ３００は、制御線３０１を介して携帯電話機２００に第２の制御コマンドを出力する（ステップＳ２２）。第２の制御コマンドは、スイッチ８１をオン状態にするとともに、上りパスゲイン設定部７１および下りパスゲイン設定部７２に所定のゲインを設定させる制御を実行するように、ＣＰＵ８０に指示するコマンドである。
【００５３】
ＣＰＵ８０は、第２の制御コマンドに応じて、シリアルＩＦ８２で、上りパスゲイン設定部７１および下りパスゲイン設定部７２に所定のゲインを設定することを指示する制御信号をオーディオＩＣ７０に出力する。オーディオＩＣ７０は、制御信号に従って、上りパスゲイン設定部７１および下りパスゲイン設定部７２に所定のゲインを設定する。このような設定によって、ＭＩＣＰ端子ライン（ＴＰ２０）とＭＩＣＮ端子ライン（ＴＰ２１）との間に入力される差動信号が、上り音声通信機能回路を通過し、ＣＰＵ８０の内部におけるディジタル信号処理部の手前で折り返され、下り音声通信機能回路を通過してＲＥＣＯＰ端子ライン（ＴＰ３０）とＲＥＣＯＮ端子ライン（ＴＰ３１）の間に至るルートが設定される。
【００５４】
従って、ＣＰＵ８０の指示に応じてＦＭ音源ＬＳＩ１０１が出力する音響ディジタル出力データに応じた低周波アナログ信号が、ＴＰ１０とＴＰ１１との間に差動信号として出力され、検査治具４００によって、ＴＰ１０の信号がＴＰ２０に入力されるとともに、ＴＰ１１の出力が位相反転されてからＴＰ２１に入力される（ステップＳ２３）。すなわち、音響再生回路の差動出力である差動信号が音声通信機能回路に差動入力として入力される。また、音声通信機能回路に入力された差動信号は、上り音声通信機能回路および下り音声通信機能回路を通って、ＴＰ３０，ＴＰ３１を介して検査治具４２０に入力される。検査治具４２０において、ＴＰ３０の出力はそのまま、ＴＰ３１の出力は位相反転されてオーディオアナライザ４１０に入力される。
【００５５】
検査員は、オーディオアナライザ４１０で測定される信号の周波数およびレベルが、所望の周波数および期待されるレベルになっているか否か確認する（ステップＳ２４）。なお、人が確認するのではなく、例えば、オーディオアナライザ４１０で測定された信号の周波数およびレベルを検査治具４２０から制御ＰＣ３００に出力し、制御ＰＣ３００が、オーディオアナライザ４１０で測定された信号の周波数およびレベルと、あらかじめ制御ＰＣ３００に設定されている所望の周波数および期待されるレベルとを自動的に比較するようにしてもよい。そして。検査結果を制御ＰＣ３００において表示したり、制御ＰＣ３００から出力させるようにしてもよい。また、検査治具４２０が、オーディオアナライザ４１０で測定された信号の周波数およびレベルと所望の周波数および期待されるレベルとほ比較機能、ならびに検査結果の表示機能を備えていてもよい。
【００５６】
以上のように、この実施の形態でも、音響再生回路が発生した信号が上り音声通信機能回路および下り音声通信機能回路を通過してオーディオアナライザ４１０に至るので、検査員は、携帯電話機２００の音声通信機能回路および音響再生回路に問題（例えば、断線、はんだ付け不良または端子間ブリッジ等）がないか否かを一度に検査することができる。
【００５７】
なお、上記の各実施の形態では、通信機器として携帯電話機を例にしたが、音響再生回路と音声通信機能回路とを有する通信機器全般に本発明を適用することができる。
【産業上の利用可能性】
【００５８】
本発明は、音声入出力機能を有する携帯電話機等の通信機器の音声入出力機能に関わる回路を検査する際に特に有用である。
【図面の簡単な説明】
【００５９】
【図１】本発明による通信機器の検査方法の第１の実施の形態を説明するためのブロック図である。
【図２】第１の実施の形態の動作を示すフローチャートである。
【図３】本発明による通信機器の検査方法の第２の実施の形態を説明するためのブロック図である。
【図４】位相反転回路の構成例を示す回路図である。
【図５】第２の実施の形態の動作を示すフローチャートである。
【図６】携帯電話機における音声通信機能回路および音響再生回路を検査するための検査方法の一例を示すブロック図である。
【図７】携帯電話機における音声通信機能回路および音響再生回路を検査するための検査方法の一例を示すブロック図である。
【符号の説明】
【００６０】
４０    音声入力部
５０，５１  音声出力部
６０    ヘッドフォンジャック
７０    オーディオＩＣ
８０    ＣＰＵ
９０    無線部
１００  ＦＭ音源ＬＳＩ
２００  携帯電話機
３００  制御用パーソナルコンピュータ（制御ＰＣ）
４００，４２０  検査治具
４１０  オーディオアナライザ
【図１】
2005191782.tif 000003
【図２】
2005191782.tif 000004
【図３】
2005191782.tif 000005
【図４】
2005191782.tif 000006
【図５】
2005191782.tif 000007
【図６】
2005191782.tif 000008
【図７】
2005191782.tif 000009